【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
放射線を電荷に変換する複数の光電変換素子が配置された放射線検知手段と、前記光電変換素子から読み出された電荷により形成された画像データを出力する通信手段と、を有する放射線撮像装置であって、
前記通信手段をネットワークに接続するための設定を、複数の設定方法の処理を実行することにより行うことが可能な設定手段と、
操作手段からの入力に応じて、前記複数の設定方法のうち一つの設定方法を選択する選択手段と、を備え、
前記設定手段は、予め定められた時間以内に前記処理に対する応答を受信しない場合、前記複数の方法から選択された一つの設定方法での無線設定のための処理を終了させることを特徴とする放射線撮像装置。
【請求項２】
前記選択手段は前記操作手段が受付けた入力の回数に応じて前記設定方法を選択することを特徴とする請求項１に記載の放射線撮像装置。
【請求項３】
前記操作手段が一回の入力を受付けた後、前記設定手段は、前記複数の設定方法のうちの一つの設定方法として、赤外線による無線設定のための処理を実行することを特徴とする請求項１に記載の放射線撮像装置。
【請求項４】
前記設定手段は、予め定められた時間以内に前記処理に対する応答を受信しない場合、前記赤外線による無線設定のための処理を終了させることを特徴とする請求項３に記載の放射線撮像装置。
【請求項５】
前記操作手段が予め定められた時間以内に複数回の入力を受付けた場合、
前記設定手段は、前記赤外線による無線設定のための処理を終了させ、前記複数の設定方法のうちの一つの設定方法として、ＷＰＳ(Wi-Fi Protected Setup)による無線設定のための処理を実行することを特徴とする請求項３に記載の放射線撮像装置。
【請求項６】
前記設定手段は、
前記ＷＰＳ(Wi-Fi Protected Setup)による無線設定のための処理により、複数の無線中継装置が検出された場合、前記ＷＰＳ(Wi-Fi Protected Setup)による無線設定のための処理を終了し、
前記ＷＰＳ(Wi-Fi Protected Setup)による無線設定のための処理により、一つの無線中継装置が検出された場合、前記検出された無線中継装置を介した通信により前記無線設定のための処理を実行する
ことを特徴とする請求項５に記載の放射線撮像装置。
【請求項７】
前記操作手段が予め定められた時間以内に複数回の入力を受付け、かつ、前記無線中継装置が検出されない場合、
前記設定手段は、前記複数の設定方法のうちの一つの設定方法として、前記放射線撮像装置に設定されているＳＳＩＤ（Service Set Identifier）と共通部分を含むＳＳＩＤが設定されている無線中継装置を検索することを特徴とする請求項６に記載の放射線撮像装置。
【請求項８】
複数の無線中継装置が検索された場合、前記設定手段は無線強度が強い順に前記複数の無線中継装置の優先順位を設定することを特徴とする請求項７に記載の放射線撮像装置。
【請求項９】
前記設定手段は、前記優先順位に従って、それぞれのネットワークの撮像制御装置に対して接続確認の要求信号を出力し、
前記要求信号に対する応答信号を予め定められた時間以内に受信した場合、前記設定手段は前記応答信号を送信した撮像制御装置のネットワークに前記通信手段を接続するための設定を行い、
前記予め定められた時間以内に前記応答信号を受信しなかった場合、前記設定手段は処理を終了することを特徴とする請求項８に記載の放射線撮像装置。
【請求項１０】
前記操作手段が一回の入力を受付けた後、前記設定手段は、前記複数の設定方法の処理を実行し、前記ネットワークとの通信を最初に確立した一の設定方法の処理により、前記通信手段を前記ネットワークに接続するための設定を行なうことを特徴とする請求項１に記載の放射線撮像装置。
【請求項１１】
前記設定手段は、前記ネットワークとの通信が最初に確立した場合、前記複数の設定方法から前記一つの設定方法を除いた他の設定方法の処理を停止させることを特徴する請求項１に記載の放射線撮像装置。
【請求項１２】
前記設定手段は、前記通信手段に情報を中継するための中継装置によって構成されるネットワークに、前記通信手段を接続するための設定を行なうことを特徴する請求項１に記載の放射線撮像装置。
【請求項１３】
無線通信の中継器と無線通信する放射線撮像装置であって、
放射線検知部と、
前記放射線検知部に電力を供給するバッテリと、
無線通信回路と、
前記放射線検知部、前記バッテリおよび前記無線通信回路を収納する筺体と、
前記筺体の側面に配置されたボタンと、
前記ボタンの押下に応じて前記バッテリからの電力供給の制御を行う第一の制御と、前記中継器との間で無線通信設定を行うための通信を前記無線通信回路に開始させる第二の制御とを行う制御部と、
を有することを特徴とする放射線撮像装置。
【請求項１４】
放射線を電荷に変換する複数の光電変換素子が配置された放射線検知手段と、前記光電変換素子から読み出された電荷により形成された画像データを出力する通信手段と、を有する放射線撮像装置と、前記放射線撮像装置を制御する撮像制御装置と、を有する放射線撮像システムであって、
前記放射線撮像装置は、
前記通信手段をネットワークに接続するための設定を、複数の設定方法の処理を実行することにより行うことが可能な設定手段と、
操作手段からの入力に応じて、前記複数の設定方法のうち一つの設定方法を選択する選択手段と、
を備え、
前記設定手段は、予め定められた時間以内に前記処理に対する応答を受信しない場合、前記複数の方法から選択された一つの設定方法での無線設定のための処理を終了させることを特徴とする放射線撮像システム。
【請求項１５】
コンピュータを、請求項１乃至１３のいずれか１項に記載の放射線撮像装置の各手段として機能させるためのプログラム。
【請求項１６】
放射線を電荷に変換する複数の光電変換素子が配置された放射線検知手段と、前記光電変換素子から読み出された電荷により形成された画像データを出力する通信手段と、を有する放射線撮像装置であって、
前記通信手段をネットワークに接続するための設定を、複数の設定方法の処理を実行することにより行うことが可能な設定手段と、
入力に応じて、前記複数の設定方法のうち一つの設定方法を選択する選択手段と、を備え、
前記複数の設定方法は、少なくとも、無線による設定方法と有線接続による設定方法とを含むことを特徴とする放射線撮像装置。
【手続補正２】
【補正対象書類名】明細書
【補正対象項目名】００１２
【補正方法】変更
【補正の内容】
【００１２】
上記の目的を達成する本発明の一つの側面に係る放射線撮像装置は、放射線を電荷に変換する複数の光電変換素子が配置された放射線検知手段と、前記光電変換素子から読み出された電荷により形成された画像データを出力する通信手段と、を有する放射線撮像装置であって、
前記通信手段をネットワークに接続するための設定を、複数の設定方法の処理を実行することにより行うことが可能な設定手段と、
操作手段からの入力に応じて、前記複数の設定方法のうち一つの設定方法を選択する選択手段と、を備え、
前記設定手段は、予め定められた時間以内に前記処理に対する応答を受信しない場合、前記複数の方法から選択された一つの設定方法での無線設定のための処理を終了させることを特徴とする。